(57)【要約】  除菌性能予測システム（１００）は、菌の種類と、除菌に要する薬剤濃度と時間との積である除菌指標値とを対応付けたＣＴ値データベース（１３１）を記憶する記憶部（１３０）と、制御部（１２０）とを備え、制御部（１２０）は、薬剤（２０）が散布される空間（１０）内の所定位置における薬剤濃度を算出する濃度推定部（１２１）と、算出された薬剤濃度と、除菌対象である菌（３０）の種類と、空間（１０）内の環境を示す環境情報とに基づいてＣＴ値データベース（１３１）を参照することで、所定位置における菌の生存状態を予測する予測部（１２２）とを備える。
2019044254.tif 000002
【特許請求の範囲】
【請求項１】
菌の種類と、除菌に要する薬剤濃度と時間との積である除菌指標値とを対応付けた対応情報を記憶する記憶部と、
制御部とを備え、
前記制御部は、
薬剤が散布される空間内の所定位置における薬剤濃度を算出する濃度推定部と、
算出された薬剤濃度と、除菌対象である菌の種類と、前記空間内の環境を示す環境情報とに基づいて前記対応情報を参照することで、前記所定位置における菌の生存状態を予測する予測部とを備える
除菌性能予測システム。
【請求項２】
前記対応情報では、薬剤の種類毎に、菌の種類と、前記除菌指標値とが対応付けられており、
前記予測部は、前記空間に散布する薬剤の種類を示す薬剤情報にさらに基づいて前記対応情報を参照することで、前記菌の生存状態を予測する
請求項１に記載の除菌性能予測システム。
【請求項３】
前記環境情報は、
前記除菌対象である菌の状態に影響を与える第１環境情報と、
前記空間に散布する薬剤に影響を与える第２環境情報とを含む
請求項１又は２に記載の除菌性能予測システム。
【請求項４】
前記第１環境情報は、前記所定位置における気温、湿度及び紫外線量、並びに、前記所定位置が前記空間内に存在する部材の表面を含む場合の表面温度のうち、少なくとも１つを示す情報である
請求項３に記載の除菌性能予測システム。
【請求項５】
前記第２環境情報は、前記所定位置における気温、湿度及び紫外線量、並びに、前記所定位置が前記空間内に存在する部材の表面を含む場合の表面温度及び当該表面に付着している有機物量のうち、少なくとも１つを示す情報である
請求項３又は４に記載の除菌性能予測システム。
【請求項６】
前記記憶部は、さらに、空間の種類毎に、予め定められた気温、湿度及び紫外線量、並びに、空間内に存在する部材の表面温度及び当該部材の表面に付着している有機物量の少なくとも１つが対応付けられたシーン情報を記憶しており、
前記環境情報は、前記薬剤を散布する空間の種類を示す情報であり、
前記予測部は、前記環境情報に基づいて前記シーン情報をさらに参照することで、前記菌の生存状態を予測する
請求項１又は２に記載の除菌性能予測システム。
【請求項７】
さらに、前記環境情報を取得するセンサを備える
請求項１〜６のいずれか１項に記載の除菌性能予測システム。
【請求項８】
前記濃度推定部は、前記薬剤の発生量と、前記薬剤を移動させる気流の風向及び風速と、前記薬剤の自己分解係数と、前記薬剤の拡散係数と、前記空間内の所定面に対する前記薬剤の吸着放出係数と、前記空間内の温度、湿度及び紫外線量の少なくとも１つとを入力データとして取得し、取得した入力データを用いて前記薬剤濃度を算出する
請求項１〜７のいずれか１項に記載の除菌性能予測システム。
【請求項９】
薬剤が散布される空間内の所定位置における薬剤濃度を算出するステップと、
算出された薬剤濃度と、除菌対象である菌の種類と、前記空間内の環境を示す環境情報とに基づいて、菌の種類と、除菌に要する薬剤濃度と時間との積である除菌指標値とを対応付けた対応情報を参照することで、前記所定位置における菌の生存状態を予測する予測ステップとを含む
除菌性能予測方法。
【請求項１０】
請求項９に記載の除菌性能予測方法をコンピュータに実行させるためのプログラム。
【発明の詳細な説明】
【技術分野】
【０００１】
本発明は、除菌性能予測システム及び除菌性能予測方法に関する。
【背景技術】
【０００２】
従来、数値流体力学解析を行うことで、所定位置における散布された薬剤の付着量を算出し、算出した付着量及び菌種に基づいて、所定位置における菌の生存状態を予測することが行われている（例えば、特許文献１を参照）。
【先行技術文献】
【特許文献】
【０００３】
【特許文献１】特開２０１３−１９０３８１号公報
【発明の概要】
【発明が解決しようとする課題】
【０００４】
しかしながら、上記従来技術では、菌の生存状態の予測精度が低いという問題がある。【０００５】
そこで、本発明は、菌の生存状態を精度良く予測することができる除菌性能予測システム及び除菌性能予測方法を提供することを目的とする。
【課題を解決するための手段】
【０００６】
上記目的を達成するため、本発明の一態様に係る除菌性能予測システムは、菌の種類と、除菌に要する薬剤濃度と時間との積である除菌指標値とを対応付けた対応情報を記憶する記憶部と、制御部とを備え、前記制御部は、薬剤が散布される空間内の所定位置における薬剤濃度を算出する濃度推定部と、算出された薬剤濃度と、除菌対象である菌の種類と、前記空間内の環境を示す環境情報とに基づいて前記対応情報を参照することで、前記所定位置における菌の生存状態を予測する予測部とを備える。【０００７】
また、本発明の一態様に係る除菌性能予測方法は、薬剤が散布される空間内の所定位置における薬剤濃度を算出するステップと、算出された薬剤濃度と、除菌対象である菌の種類と、前記空間内の環境を示す環境情報とに基づいて、菌の種類と、除菌に要する薬剤濃度と時間との積である除菌指標値とを対応付けた対応情報を参照することで、前記所定位置における菌の生存状態を予測する予測ステップとを含む。【０００８】
また、本発明の一態様は、上記除菌性能予測方法をコンピュータに実行させるためのプログラムとして実現することができる。あるいは、当該プログラムを格納したコンピュータ読み取り可能な記録媒体として実現することもできる。
【発明の効果】
【０００９】
本発明によれば、菌の生存状態を精度良く予測することができる。
【図面の簡単な説明】
【００１０】
【図１】図１は、実施の形態１に係る除菌性能予測システムの機能構成を示すブロック図である。
【図２】図２は、実施の形態１に係る除菌性能予測システムの推定対象となる空間と、当該空間に発生した薬剤の状態とを模式的に示す図である。
【図３】図３は、実施の形態１に係る除菌性能予測システムの推定対象となる空間内の部材表面に存在する菌と、当該空間に発生した薬剤とを模式的に示す図である。
【図４】図４は、実施の形態１に係る除菌性能予測システムが記憶するＣＴ値データベースの一例を示す図である。
【図５】図５は、実施の形態１に係る除菌性能予測システムの濃度推定部の機能構成を示すブロック図である。
【図６】図６は、所定面に対する物質の吸着放出係数を説明するための断面図である。
【図７】図７は、所定面に対する物質の吸着放出係数を決定する際に用いる濃度差比率を説明するための断面図である。
【図８】図８は、吸着放出係数の温度依存性を示す図である。
【図９】図９は、菌の生存状態の温度依存性を示す図である。
【図１０】図１０は、菌が水滴に覆われている様子を示す模式図である。
【図１１】図１１は、菌の生存状態の湿度依存性を示す図である。
【図１２】図１２は、薬剤及び菌に紫外線が照射されている様子を示す模式図である。
【図１３】図１３は、次亜塩素酸による紫外線の吸収の波長依存性を示す図である。
【図１４】図１４は、ＤＮＡによる紫外線の吸収の波長依存性を示す図である。
【図１５】図１５は、たんぱく質による紫外線の吸収の波長依存性を示す図である。
【図１６】図１６は、菌が有機物に覆われている様子を示す模式図である。
【図１７】図１７は、実施の形態１に係る除菌性能予測システムの動作を示すフローチャートである。
【図１８】図１８は、実施の形態１に係る除菌性能予測システムの動作のうち、濃度の推定処理を示すフローチャートである。
【図１９】図１９は、実施の形態１に係る除菌性能予測システムが出力する菌の生存状態を示す三次元分布図である。
【図２０】図２０は、実施の形態２に係る除菌性能予測システムの機能構成を示すブロック図である。
【図２１】図２１は、実施の形態２に係る除菌性能予測システムが記憶するシーンデータベースの一例を示す図である。
【発明を実施するための形態】
【００１１】
以下では、本発明の実施の形態に係る除菌性能予測システム及び除菌性能予測方法について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１３】
（実施の形態１）
［概要］
まず、実施の形態に係る除菌性能予測システムの概要について、図１〜図３を用いて説明する。
【００１４】
図１は、本実施の形態に係る除菌性能予測システム１００の機能構成を示すブロック図である。図２は、本実施の形態に係る除菌性能予測システム１００の推定対象となる空間１０と、空間１０に発生した薬剤２０の状態とを模式的に示す図である。図３は、本実施の形態に係る除菌性能予測システム１００の推定対象となる空間１０内の部材の表面４０に存在する菌３０と、空間１０に発生した薬剤２０とを模式的に示す図である。なお、図３は、図２の一部を拡大した断面図に相当する。
【００１５】
空間１０は、除菌性能予測システム１００による除菌性能の予測対象となる空間である。空間１０は、例えば、壁、窓及びドアなどで囲まれた１つの部屋である。図２に示すように、空間１０には、薬剤２０の発生源１１が設けられている。また、空間１０には、椅子１２、棚１３などの家具が配置されている。なお、発生源１１、椅子１２及び棚１３などの配置及び個数などは一例に過ぎない。
【００１６】
薬剤２０は、菌３０を除菌する除菌作用を有する物質である。なお、本明細書において除菌とは、菌又は細菌の除去だけでなく、ウイルス除去なども意味する。つまり、菌３０には、菌及び細菌だけでなく、ウイルスなども含まれる。菌３０は、例えば、黄色ブドウ球菌、緑膿菌又は大腸菌などであるが、これらに限らない。
【００１７】
例えば、薬剤２０は、次亜塩素酸（ＨＣｌＯ）である。あるいは、薬剤２０は、オゾン（Ｏ３）又はプラズマ処理された水（Ｈ２Ｏ）などでもよい。薬剤２０は、例えば、霧状の次亜塩素酸水などの液体であるが、気体又は微粒子状の固体でもよい。
【００１８】
薬剤２０は、発生源１１から空間１０に放出される。発生源１１は、薬剤２０を生成して放出する生成装置である。例えば、発生源１１は、次亜塩素酸水生成装置であり、食塩水を電気分解することにより次亜塩素酸水を生成する。発生源１１は、空間１０内に向けて気流を形成する機能を有する。発生源１１は、生成した次亜塩素酸水を気化させて、気流とともに次亜塩素酸を薬剤２０として放出する。薬剤２０は、気流に沿って空間１０内に拡散される。
【００１９】
空間１０内に拡散された薬剤２０は、空間１０内に存在する菌３０に接触した場合に、菌３０を分解するなどして除菌が行われる。空間１０内に適切な濃度で薬剤２０が拡散されることにより、除菌が効率良く行われる。
【００２０】
なお、空間１０内に存在する薬剤２０は、薬剤２０が有する特性及び空間１０内の環境の少なくとも一方に応じて様々な影響を受ける。例えば、図２に示す薬剤２０ａは、自己分解により消滅する。薬剤２０ｂは、空間１０内を浮遊し拡散される。薬剤２０ｃは、空間１０の壁に対して吸着される。また、吸着された薬剤２０ｃは、壁から放出される。薬剤２０ｄは、紫外線により分解されて消滅する。
【００２１】
また、空間１０内に存在する菌３０も同様に、菌３０が有する特性及び空間１０内の環境の少なくとも一方に応じて様々な影響を受ける。例えば、菌３０は、薬剤２０ｃと同様に、紫外線により分解されて消滅することがある。詳細については、後で説明する。
【００２２】
本実施の形態に係る除菌性能予測システム１００は、１以上の情報処理装置で実現される。１以上の情報処理装置はそれぞれ、プログラムが格納された不揮発性メモリ、プログラムを実行するための一時的な記憶領域である揮発性メモリ、入出力ポート、プログラムを実行するプロセッサなどで実現される。
【００２３】
［構成］
以下では、除菌性能予測システム１００の詳細な構成について、図２及び図３を適宜参照しながら、図１を用いて説明する。
【００２４】
図１に示すように、除菌性能予測システム１００は、取得部１１０と、制御部１２０と、記憶部１３０と、出力部１４０とを備える。除菌性能予測システム１００は、環境情報、薬剤情報及び菌情報を取得し、取得した情報に基づいてシミュレーションを行うことで、空間１０内の所定位置における菌３０の生存状態を示す予測情報を出力する。なお、所定位置は、予測の対象位置である。
【００２５】
対象位置は、空間１０を３次元マトリクス状に分割した複数の部分空間の中から、濃度の推定対象となる位置として選択された１つの部分空間である。対象位置は、例えば三次元座標系で表される。なお、対象位置は、１つの部分空間に限らず、複数の部分空間でもよく、全ての部分空間、すなわち、空間１０の全体であってもよい。この場合、除菌性能予測システム１００は、空間１０内の菌３０の生存状態の三次元分布を予測情報として出力してもよい。
【００２６】
部分空間は、濃度推定シミュレーションにおける演算の単位（メッシュ）に相当する。複数の部分空間の大きさは、互いに異なっていてもよい。複数の部分空間は、例えば互いに同じ大きさの立方体状の空間である。部分空間の一辺の長さは、例えば８０ｍｍであるが、これに限らない。また、部分空間は、ソリッド（三次元）要素のものであれば、直方体状又は三角錐状などの空間であってもよい。部分空間の大きさは、空間１０の大きさに基づいて定められてもよい。
【００２７】
環境情報は、空間１０内の環境を示す情報である。具体的には、環境情報は、除菌対象である菌３０の状態に影響を与える第１環境情報と、空間１０に散布する薬剤２０に影響を与える第２環境情報とを含む。第１環境情報は、対象位置における気温、湿度及び紫外線量、並びに、対象位置が空間１０内に存在する部材の表面４０を含む場合の表面温度のうち、少なくとも１つを示す情報である。第２環境情報は、対象位置における気温、湿度及び紫外線量、並びに、対象位置が空間１０内に存在する部材の表面４０を含む場合の表面温度及び表面４０に付着している有機物量のうち、少なくとも１つを示す情報である。なお、部材は、空間１０を形成する壁材、天井材、床材若しくは窓材などの造営材、又は、空間１０内に配置された椅子１２、棚１３若しくは発生源１１などの障害物である。第１環境情報及び第２環境情報の各々の詳細については、後で説明する。
【００２８】
薬剤情報は、空間１０に発生する薬剤２０に関する情報である。具体的には、薬剤情報は、薬剤２０の発生量、並びに、薬剤２０を移動させる気流の風向及び風速などを示す情報である。薬剤情報には、薬剤２０の種類を示す情報が含まれてもよい。
【００２９】
菌情報は、空間１０内に存在しうる菌であり、除菌対象の菌３０に関する情報である。具体的には、菌情報は、菌、細菌又はウイルスの種類を示す情報である。
【００３０】
取得部１１０は、環境情報、薬剤情報及び菌情報を取得する。取得部１１０は、例えば、温湿度センサなどのセンサから出力される出力信号が入力される入力インタフェース、ユーザからの操作を受け付けるユーザインタフェース、及び、発生源１１と通信を行う通信インタフェースなどで実現される。ユーザインタフェースは、例えば、タッチパネル又は物理的な操作ボタンなどである。あるいは、取得部１１０は、ユーザが操作するスマートフォンなどの端末装置と通信する通信インタフェースで実現されてもよい。
【００３１】
本実施の形態では、取得部１１０は、温湿度センサ又は温度センサから空間１０内の温度を示す温度情報を取得する。温度情報は、具体的には、空間１０内の気温、又は、空間１０内に位置する部材の表面４０の表面温度を示す。取得部１１０は、温湿度センサ又は湿度センサから空間１０内の湿度を示す湿度情報を取得する。取得部１１０は、紫外線光量計から空間１０内の紫外線量を示す紫外線情報を取得する。
【００３２】
なお、温湿度センサ及び紫外線光量計の少なくとも一方は、空間１０内に複数設けられていてもよい。取得部１１０は、複数の温湿度センサ及び紫外線光量計から、空間１０を構成する複数の部分空間の各々における温度情報、湿度情報及び紫外線情報を取得してもよい。
【００３３】
取得部１１０は、端末装置などから、空間１０内に位置する部材の材質を示す材質情報を取得する。材質情報は、具体的には、部材の材質を部分空間毎に示す。材質情報は、例えば、空間１０が形成された時に予め記憶部１３０に記憶されていてもよい。
【００３４】
取得部１１０は、発生源１１から、薬剤２０の発生量を示す発生量情報を取得する。発生量情報は、例えば、単位時間当たりに発生源１１から発生する薬剤２０の濃度を、発生量として示す。取得部１１０は、発生源１１が空間１０内に供給する気流の風向及び風速を示す気流情報を取得する。気流情報は、発生源１１の吹出口を基準位置として、気流の進行方向及び進行速度をそれぞれ、風向及び風速として示す。
【００３５】
取得部１１０は、端末装置などから、菌情報を取得する。例えば、取得部１１０は、ユーザが端末装置を操作することで選択された除菌対象となる菌３０の種類を示す情報を菌情報として端末装置から取得する。
【００３６】
取得部１１０は、さらに、ユーザが操作する端末装置などから、空間１０の大きさ及び形状、並びに、空間１０内に存在する椅子１２などの障害物の大きさ、形状及び配置位置を示すジオメトリ情報を取得してもよい。取得部１１０は、さらに、薬剤２０の種類を示す種類情報を取得してもよい。
【００３７】
なお、本実施の形態に係る除菌性能予測システム１００は、環境情報を取得するセンサを備えてもよい。センサは、取得部１１０の機能のうち環境情報を取得する機能を行う。センサは、例えば、上述した温湿度センサ、温度センサ、湿度センサ、紫外線光量計及び有機物検出センサなどの少なくとも１つである。
【００３８】
制御部１２０は、除菌性能予測システム１００の主な機能を実行する。制御部１２０は、プログラムが格納された不揮発性メモリ、プログラムを実行するための一時的な記憶領域である揮発性メモリ、入出力ポート、プログラムを実行するプロセッサなどで実現される。本実施の形態では、制御部１２０は、図１に示すように、濃度推定部１２１と、予測部１２２とを備える。
【００３９】
濃度推定部１２１は、薬剤２０が散布される空間１０内の所定位置における薬剤濃度を算出する。具体的には、濃度推定部１２１は、薬剤２０の濃度推定のシミュレーションを行うことで、空間１０内の対象位置における薬剤２０の濃度を示す濃度情報を出力する。本実施の形態では、濃度推定部１２１は、薬剤２０の発生量と、薬剤２０を移動させる気流の風向及び風速と、薬剤２０の自己分解係数と、薬剤２０の拡散係数と、空間１０内の所定面に対する薬剤２０の吸着放出係数と、空間１０内の温度、湿度及び紫外線量の少なくとも１つとを入力データとして取得し、取得した入力データを用いて薬剤濃度を算出する。濃度推定部１２１の詳細な構成については、後で説明する。
【００４０】
予測部１２２は、算出された薬剤濃度と、除菌対象である菌３０の種類と、環境情報とに基づいて記憶部１３０に記憶されたＣＴ値データベース１３１を参照することで、対象位置における菌３０の生存状態を予測する。本実施の形態では、予測部１２２は、空間１０に散布する薬剤２０の種類を示す薬剤情報にさらに基づいてＣＴ値データベース１３１を参照することで、菌３０の生存状態を予測する。
【００４１】
菌３０の生存状態は、例えば、薬剤２０を放出してから所定期間経過後の対象位置における菌３０の減少数で表される。菌３０の減少数は、桁数によって表される。除菌の桁数が１であること（「１桁除菌」とも言う）は、菌数が１桁減少すること、すなわち、初期状態を１とした場合に除菌後の菌数が０．１になることである。すなわち、１桁除菌は、菌３０の９０％を除菌すること、すなわち、９０％除菌を意味する。同様に、２桁除菌は、９９％除菌を意味する。３桁除菌は、９９．９％除菌を意味する。
【００４２】
本実施の形態では、予測部１２２は、以下の式（１）に基づいて菌３０の減少数Ｙを算出する。
【００４３】
【数１】
2019044254.tif 000003
【００４４】
式（１）において、推定ＣＴ値は、濃度推定部１２１によって推定された薬剤濃度に基づいて算出されるＣＴ値である。推定ＣＴ値は、対象位置毎に算出される。推定ＣＴ値は、対象位置における薬剤２０による除菌性能を表している。
【００４５】
参照ＣＴ値は、Ｘ桁除菌を行う場合に必要なＣＴ値である。参照ＣＴ値は、記憶部１３０に記憶されたＣＴ値データベース１３１を参照することで得られる。
【００４６】
環境因数ｆは、環境情報に基づく補正係数である。具体的には、環境因数ｆは、気温、湿度及び紫外線量、並びに、部材の表面温度及び有機物量などによって定められる。詳細については、後で説明する。
【００４７】
なお、以下の式（２）に基づいて、予測部１２２は、菌３０の除菌率を算出してもよい。
【００４８】
【数２】
2019044254.tif 000004
【００４９】
記憶部１３０は、ＣＴ値データベース１３１を記憶している。記憶部１３０は、例えば、ＨＤＤ（Ｈａｒｄ  Ｄｉｓｋ  Ｄｒｉｖｅ）又は半導体メモリなどの不揮発性メモリである。
【００５０】
ＣＴ値データベース１３１は、菌の種類と、除菌に要する薬剤濃度（Ｃ）と時間（Ｔ）との積である除菌指標値とを対応付けた対応情報の一例である。除菌指標値は、いわゆるＣＴ値である。対応情報では、薬剤２０の種類毎に、菌の種類と、除菌指標値とが対応付けられている。
【００５１】
図４は、本実施の形態に係る除菌性能予測システム１００が記憶するＣＴ値データベース１３１を示す図である。図４に示すように、菌３０の種類と薬剤２０の種類との組み合わせにＣＴ値が対応付けられている。
【００５２】
ＣＴ値は、例えば、対応する薬剤２０を用いて、対応する菌３０を９９％除菌するのに必要な薬剤濃度と時間との積である。つまり、ＣＴ値は、菌３０を２桁除菌するのに必要な薬剤濃度と時間との積である。なお、ＣＴ値は、菌３０を１桁除菌（すなわち、９０％除菌）するのに必要な薬剤濃度と時間との積でもよく、３桁除菌（すなわち、９９．９％除菌）するのに必要な薬剤濃度と時間との積でもよい。
【００５３】
ＣＴ値データベース１３１に記憶されたＣＴ値が大きい程、対応する菌３０を除菌するためには、濃い濃度の薬剤２０が必要で、及び／又は、薬剤２０に菌３０が晒されている時間が多く必要であることを意味する。ＣＴ値は、例えば、基準条件の下で除菌試験を行うことで得られる。基準条件は、例えば、温度が２０℃、湿度が５０％ＲＨ、紫外線量が０ｍＷ／ｃｍ２であるが、これに限らない。
【００５４】
なお、ＣＴ値データベース１３１における情報の対応形式は、図４に示す例に限らない。例えば、ＣＴ値データベース１３１は、薬剤２０の種類と菌３０の種類との組み合わせに応じて、所定のＣＴ値の除菌処理を行った場合の除菌できる桁数を示してもよい。
【００５５】
例えば、薬剤２０がオゾンである場合、黄色ブドウ球菌は、ＣＴ値が１０の除菌処理を行うことで、１．７桁除菌が可能である。緑膿菌は、ＣＴ値が１０の除菌処理を行うことで、０．５７桁除菌が可能である。大腸菌は、ＣＴ値が２５の除菌処理を行うことで、１．４４桁除菌が可能である。
【００５６】
また、例えば、薬剤２０が過酸化水素である場合、黄色ブドウ球菌は、ＣＴ値が３３５０の除菌処理を行うことで２桁除菌が可能である。さらに、薬剤２０が過酸化水素である場合、黄色ブドウ球菌は、ＣＴ値が２５８０００の除菌処理を行うことで６桁除菌が可能である。
【００５７】
出力部１４０は、制御部１２０によって算出された菌の生存状態を示す予測情報を出力する。例えば、出力部１４０は、ディスプレイであり、濃度の三次元分布を示す画像データを表示する。あるいは、出力部１４０は、外部の表示装置に接続される出力インタフェースであってもよい。出力部１４０は、外部の表示装置に画像データを出力してもよい。
【００５８】
［濃度推定部］
続いて、本実施の形態に係る濃度推定部１２１の詳細な構成について、図５を用いて説明する。図５は、本実施の形態に係る除菌性能予測システム１００の濃度推定部１２１の機能構成を示すブロック図である。
【００５９】
図５に示すように、濃度推定部１２１は、決定部２１０と、演算部２２０と、記憶部２３０とを備える。濃度推定部１２１は、環境情報及び薬剤情報を取得し、取得した情報に基づいてシミュレーションを行うことで、空間１０内の所定位置における薬剤２０の濃度を示す濃度情報を出力する。所定位置は、濃度推定の対象位置である。
【００６０】
決定部２１０は、取得部１１０によって取得された情報に基づいて、薬剤２０の自己分解係数、薬剤２０の拡散係数、及び、薬剤２０の吸着放出係数を決定する。決定部２１０は、決定した自己分解係数、拡散係数及び吸着放出係数、並びに、取得部１１０によって取得された情報を、入力データとして演算部２２０に出力する。自己分解係数、拡散係数及び吸着放出係数の詳細については、後で説明する。
【００６１】
記憶部２３０は、図５に示すように、自己分解係数用の第１データベース２３１と、拡散係数用の第２データベース２３２と、吸着放出係数用の第３データベース２３３とを記憶している。記憶部２３０は、例えば、ＨＤＤ又は半導体メモリなどの不揮発性メモリである。なお、記憶部２３０は、図１に示す記憶部１３０と同じハードウェア資源を用いて実現されてもよい。
【００６２】
演算部２２０は、空間１０内に拡散する薬剤２０のシミュレーションを行うことで、空間１０内の薬剤２０の濃度を算出する。演算部２２０は、プログラムが格納された不揮発性メモリ、プログラムを実行するための一時的な記憶領域である揮発性メモリ、入出力ポート、プログラムを実行するプロセッサなどで実現される。
【００６３】
具体的には、演算部２２０は、薬剤２０の発生量と、薬剤２０を移動させる気流の風向及び風速と、薬剤２０の自己分解係数と、薬剤２０の拡散係数と、空間１０内の所定面に対する薬剤２０の吸着放出係数と、空間１０内の温度、湿度及び紫外線量の少なくとも１つとを入力データとして取得する。演算部２２０は、入力データを取得し、取得した入力データを用いて空間１０内の薬剤２０の濃度を算出する。
【００６４】
演算部２２０は、例えば、数値流体力学（ＣＦＤ：Ｃｏｍｐｕｔａｔｉｏｎａｌ  Ｆｌｕｉｄ  Ｄｙｎａｍｉｃｓ）に基づく解析（以下、ＣＦＤ解析と記載）を行う。ＣＦＤ解析は、例えば、ＲＡＮＳ（Reynolds-Averaged Navier-Stokes equations）、ＤＮＳ（Direct Numerical Simulation）、ＬＥＳ（Large Eddy Simulation）、又はＤＥＳ（Detached Eddy Simulation）などのモデルに基づいて行われる。具体的には、演算部２２０は、薬剤２０の種類と、薬剤２０の発生量と、気流の風向及び風速と、薬剤２０の自己分解係数と、薬剤２０の拡散係数と、薬剤２０の吸着放出係数と、空間１０内の温度、湿度及び紫外線量とを入力データとしてＣＦＤ解析を行うことにより、空間１０を構成する部分空間毎の薬剤濃度を算出する。具体的には、演算部２２０は、部分空間毎の薬剤濃度の三次元分布を生成する。より具体的には、演算部２２０は、空間１０内の任意の位置の任意の時間における薬剤２０の濃度を算出する。演算部２２０は、空間１０内の薬剤濃度の経時的に変化する三次元分布を生成する。
【００６５】
例えば、薬剤２０の発生量が多い程、各部分空間の濃度推定値が大きくなる。薬剤２０の発生量が小さい程、各部分空間の濃度推定値が小さくなる。また、気流の風向に基づいて、例えば、発生源１１の風下（具体的には発生源１１から離れた位置）に位置する部分空間の濃度推定値は、発生源１１の風上（具体的には発生源１１に近い位置）に位置する部分空間の濃度推定値より小さくなる。また、風速が大きい場合には、発生源１１から離れた位置の部分空間の濃度推定値が大きくなる。風速が小さい場合には、発生源１１から離れた位置の部分空間の濃度推定値が小さくなる。自己分解係数、拡散係数及び吸着放出係数と濃度推定値との関係は、後で説明する。
【００６６】
演算部２２０は、算出した薬剤濃度を示す濃度情報を、予測部１２２に出力する。
【００６７】
［濃度推定シミュレーション］
続いて、上記式（１）における推定ＣＴ値を算出するための、薬剤濃度の推定シミュレーションの詳細について説明する。まず、本実施の形態に係る濃度推定部１２１の演算部２２０が入力データとして取得する、薬剤２０の性質に関する３つのパラメータについて説明する。３つのパラメータは、薬剤２０の自己分解係数、拡散係数及び吸着放出係数である。
【００６８】
［自己分解係数］
まず、薬剤２０の自己分解係数について説明する。
【００６９】
自己分解係数は、薬剤２０が自己分解される度合いを示すパラメータである。具体的には、自己分解係数は、以下の式（３）に示すアレニウスの式で定義される反応係数である。
【００７０】
【数３】
2019044254.tif 000005
【００７１】
式（３）において、ｋは、薬剤２０の自己分解係数（単位［／ｓ］）である。Ａは、頻度因子である。Ｅａは、活性化エネルギーである。Ｒは、気体定数である。Ｔは、空間１０内の絶対温度である。ここで、Ａ及びＥａは、薬剤２０の種類に応じて定まる値である。
【００７２】
式（３）に示すように、自己分解係数ｋは、空間１０内の温度に依存する。具体的には、空間１０内の温度が低い程、自己分解係数ｋが小さくなり、薬剤２０の自己分解が進みにくい。空間１０内の温度が高い程、自己分解係数ｋが大きくなり、薬剤２０の自己分解が進みやすくなる。
【００７３】
なお、自己分解係数ｋを算出するための頻度因子Ａ、活性化エネルギーＥａなどは、以下の手順に沿って予め実測することで得られる。まず、例えば気温２０℃、湿度５０％に保った容積１ｍ３のアクリルボックスを用意し、内部に次亜塩素酸ガスを薬剤２０として溜める。アクリルボックス内の次亜塩素酸ガスの濃度を初期状態から経時的に測定する。気温及び湿度の組み合わせを変更し、異なる条件下で同様の測定を行う。
【００７４】
次亜塩素酸の反応速度式［ＨＣｌＯ］＝［ＨＣｌＯ］ｉｎｉｔｉａｌ×ｅ−ｋｔから、自己分解係数ｋを算出する。なお、［ＨＣｌＯ］ｉｎｉｔｉａｌは、次亜塩素酸ガスの初期状態の濃度を示している。［ＨＣｌＯ］は、初期状態から時間ｔだけ経過した後の次亜塩素酸ガスの濃度を示している。
【００７５】
互いに異なる２つ以上の温度に対応する自己分解係数ｋを算出し、算出した自己分解係数ｋを用いてアレニウスプロットを行う。アレニウスプロットとは、横軸を１／Ｔ、縦軸をｌｎｋとした二次元座標系に、算出した値を描画することである。アレニウスプロットの近似式に基づいて、傾き−Ｅａ／Ｒ及び切片ｌｎＡが算出される。
【００７６】
本実施の形態では、決定部２１０は、空間１０内の温度に基づいて自己分解係数ｋを決定する。具体的には、決定部２１０は、記憶部２３０に記憶された第１データベース２３１を参照することで、自己分解係数ｋを決定する。
【００７７】
第１データベース２３１は、自己分解係数ｋと温度との対応関係を示すデータベースである。具体的には、第１データベース２３１は、温度及び薬剤２０の種類の組み合わせ毎に、上記式（３）に基づいて予め算出された自己分解係数ｋを示している。なお、薬剤２０の種類が１つのみである場合には、第１データベース２３１は、温度毎に予め算出された自己分解係数ｋを示していてもよい。
【００７８】
なお、記憶部２３０には、第１データベース２３１の代わりに、上記式（３）が記憶されていてもよい。決定部２１０は、取得部１１０が取得した種類情報及び温度情報に基づいて、式（３）を用いて自己分解係数ｋを算出してもよい。
【００７９】
本実施の形態では、自己分解係数をシミュレーションの入力データとして用いることで、薬剤２０の自己分解による濃度の減少をシミュレーション結果に反映させることができる。具体的には、自己分解係数が大きい程、濃度推定値は、自己分解係数を入力データとして用いない場合の濃度推定値よりも小さくなる。自己分解係数が小さい程、濃度推定値は、自己分解係数を入力データとして用いない場合の濃度推定値よりも大きくなる。いずれの場合も、自己分解係数を入力データとして用いることで、実測値に近い濃度を推定することができる。
【００８０】
［拡散係数］
次に、薬剤２０の拡散係数について説明する。
【００８１】
拡散係数は、薬剤２０が拡散される度合いを示すパラメータである。具体的には、拡散係数は、以下の式（４）に示すアインシュタイン・ストークスの式で定義される。
【００８２】
【数４】
2019044254.tif 000006
【００８３】
式（４）において、Ｄは、薬剤２０の拡散係数（単位［ｍ／ｓ］）である。ｋは、ボルツマン定数である。Ｔは、空間１０内の絶対温度である。Ｂは、薬剤２０の移動度である。μは、薬剤２０の粘性である。ａは、薬剤２０の分子半径である。ここで、μ及びａは、薬剤２０の種類に応じて定まる値である。
【００８４】
式（４）に示すように、拡散係数Ｄは、空間１０内の温度に依存する。具体的には、空間１０内の温度が低い程、拡散係数が小さくなり、薬剤２０が拡散されにくくなる。空間１０内の温度が高い程、拡散係数が大きくなり、薬剤２０が拡散されやすくなる。より具体的には、拡散係数Ｄは、空間１０内の絶対温度Ｔに対して比例関係を有する。
【００８５】
本実施の形態では、決定部２１０は、空間１０内の温度に基づいて拡散係数Ｄを決定する。具体的には、決定部２１０は、記憶部２３０に記憶された第２データベース２３２を参照することで、拡散係数Ｄを決定する。
【００８６】
第２データベース２３２は、拡散係数Ｄと温度との対応関係を示すデータベースである。具体的には、第２データベース２３２は、温度及び薬剤２０の種類の組み合わせ毎に、上記式（４）に基づいて予め算出された拡散係数Ｄを示している。なお、薬剤２０の種類が１つのみである場合には、第２データベース２３２は、温度毎に予め算出された拡散係数Ｄを示していてもよい。
【００８７】
なお、記憶部２３０には、第２データベース２３２の代わりに、上記式（４）が記憶されていてもよい。決定部２１０は、取得部１１０が取得した種類情報及び温度情報に基づいて、式（４）を用いて拡散係数Ｄを算出してもよい。
【００８８】
本実施の形態では、拡散係数をシミュレーションの入力データとして用いることで、薬剤２０の拡散による濃度の変化をシミュレーション結果に反映させることができる。具体的には、拡散係数が大きい程、薬剤２０が広がりやすくなる。このため、例えば、発生源１１より離れた位置での薬剤２０の濃度推定値は、拡散係数を入力データとして用いない場合の濃度推定値よりも大きくなる。また、拡散係数が小さい程、薬剤２０が広がりにくくなる。このため、例えば、発生源１１より離れた位置での薬剤２０の濃度推定値は、拡散係数を入力データとして用いない場合の濃度推定値よりも小さくなる。いずれの場合も、拡散係数を入力データとして用いることで、実測値に近い濃度を推定することができる。
【００８９】
［吸着放出係数］
次に、薬剤２０の吸着放出係数について説明する。
【００９０】
図６は、所定の表面４０に対する薬剤２０の吸着放出係数を説明するための断面図である。所定の表面４０は、空間１０を形成する壁材などの造営材、又は、空間１０内に位置する発生源１１などの障害物の壁面である。
【００９１】
図６に示すように、表面４０の近傍に位置する薬剤２０は、所定時間の経過後に、薬剤２０ｘのように表面４０に吸着される場合と、薬剤２０ｙのように吸着されずに表面４０の近傍に位置したままの場合とがある。
【００９２】
吸着放出係数は、薬剤２０の所定の表面４０に対する吸着及び放出の度合いを示すパラメータである。吸着放出係数は、薬剤２０が表面４０に対して単位時間あたりに近付く距離として定められる。具体的には、吸着放出係数は、以下の式（５）に示す吸着量を表す式に基づいて定義される。
【００９３】
【数５】
2019044254.tif 000007
【００９４】
式（５）において、ｈｐは、薬剤２０の吸着放出係数（単位［ｍ／ｓ］）である。吸着放出係数が正の値である場合、薬剤２０が表面４０に吸着することを意味する。吸着放出係数が負の値である場合、薬剤２０が表面４０から放出されることを意味する。吸着放出係数の絶対値が大きい程、吸着量又は放出量が大きい。吸着放出係数の絶対値が小さい程、吸着量又は放出量が小さい。
【００９５】
Ｆは、薬剤２０の吸着量（単位［ｍ３／ｓ］）である。ΔＣは、薬剤２０の濃度差比率である。Ａは、図５に示す表面４０の面積（単位［ｍ２］）である。
【００９６】
薬剤２０の吸着には、物理的な吸着と化学的な吸着とが含まれる。物理的な吸着は、例えば、表面４０に設けられている微小な細孔又は凹凸に薬剤２０が捕捉されることである。物理的な吸着は、例えば、以下の式（６）に示すＢＥＴの吸着等温式に基づいて定められる。
【００９７】
【数６】
2019044254.tif 000008
【００９８】
式（６）において、ｐ０は、薬剤２０の飽和蒸気圧である。ｐは、薬剤２０の蒸気圧である。ｖ１は、飽和吸着量である。ｖは、吸着量である。ｃは、以下の式（７）で表される。
【００９９】
【数７】
2019044254.tif 000009
【０１００】
式（７）において、ｃ０は、定数である。Ｒは、気体定数である。Ｔは、絶対温度である。Ｅ１は、表面４０に対する薬剤２０の吸着熱である。Ｅは、薬剤２０の凝縮熱である。ここで、Ｅ１及びＥは、薬剤２０の種類に応じて定まる値である。
【０１０１】
また、化学的な吸着は、例えば、表面４０に付着した微小な水分などとイオン結合などの化学結合により薬剤２０が捕捉されることである。化学的な吸着における吸着量は、表面４０の表面温度、又は、表面４０の近傍の気温に依存する。
【０１０２】
本実施の形態では、吸着放出係数ｈｐは、物理的な吸着及び化学的な吸着などの吸着要因を総合してマクロ的な係数として決定される。具体的には、図６に示す面積Ａの表面４０の端部間の濃度差に基づいて薬剤２０の移動距離を換算することで、吸着放出係数ｈｐが定められる。具体的には、濃度の実測値に基づいて式（５）を用いて、吸着放出係数ｈｐが定められる。
【０１０３】
図７は、所定の表面４０に対する薬剤２０の吸着放出係数ｈｐを決定する際に用いる濃度差比率ΔＣを説明するための断面図である。図７に示すように、表面４０の近傍の空間を第１区域と第２区域とに仮想的に定義する。
【０１０４】
第１区域は、表面４０に面した区域である。第２区域は、第１区域より表面４０から離れた区域であり、第１区域と一面を共有している。第１区域及び第２区域は、例えば、互いに同じ大きさの直方体状の空間である。第１区域の幅ｗは、吸着放出係数ｈｐ×解析時間より小さく、例えば、１ｍｍ以下である。
【０１０５】
このとき、濃度差比率ΔＣは、以下の式（８）で表される。
【０１０６】
【数８】
2019044254.tif 000010
【０１０７】
式（８）において、Ｃ１ｔ及びＣ２ｔはそれぞれ、時刻ｔにおける第１区域及び第２区域の各々の薬剤２０の濃度である。式（５）及び（８）より、第２区域の濃度Ｃ２ｔが大きい程、表面４０への吸着量が多いことが分かる。
【０１０８】
図８は、吸着放出係数ｈｐの温度依存性を示す図である。図８において、横軸は温度であり、縦軸は吸着放出係数ｈｐである。図８に示すように、温度が高くなる程、吸着放出係数ｈｐが小さくなり、薬剤２０の表面４０への吸着が起こりにくい。温度が低くなる程、吸着放出係数ｈｐが大きくなり、薬剤２０の表面４０への吸着が起こりやすい。吸着放出係数と温度とは、略線形の関係を有する。
【０１０９】
本実施の形態では、決定部２１０は、表面４０の材質、形状、温度及び湿度の少なくとも１つに基づいて吸着放出係数ｈｐを決定する。具体的には、決定部２１０は、記憶部２３０に記憶された第３データベース２３３を参照することで、吸着放出係数ｈｐを決定する。
【０１１０】
第３データベース２３３は、吸着放出係数ｈｐと温度との対応関係を示すデータベースである。具体的には、第３データベース２３３は、表面４０の材質、形状、温度及び湿度、並びに、薬剤２０の種類の組み合わせ毎に、図８などに示す関係に基づいて予め定められた吸着放出係数ｈｐを示している。なお、薬剤２０の種類が１つのみである場合には、第３データベース２３３は、表面４０の材質、形状、温度及び湿度の組み合わせ毎に予め決定された吸着放出係数ｈｐを示していてもよい。
【０１１１】
なお、メモリ資源を節約するため、第３データベース２３３には、全通りの組み合わせに対応する吸着放出係数ｈｐを示すのではなく、一部の組み合わせに対応する吸着放出係数ｈｐを示していてもよい。
【０１１２】
例えば、第３データベース２３３には、温度が２０℃、湿度が５０％ＲＨである場合に、材質Ａ、材質Ｂ及び材質Ｃの各々の吸着放出係数は、０．０００６ｍ／ｓ、０．００１１ｍ／ｓ及び０．０２ｍ／ｓであることが示されていてもよい。決定部２１０は、表面４０の形状、温度及び湿度については、各々と吸着放出係数との対応関係を表す関数に基づいて、第３データベース２３３から読み出した値を補正することで、入力データに応じた吸着放出係数を算出してもよい。あるいは、決定部２１０は、第３データベース２３３に格納された値を利用した補間処理によって、入力データに応じた吸着放出係数を算出してもよい。
【０１１３】
例えば、吸着放出係数と温度とは、図８で示すように略線形の関係を有する。具体的には、温度が高くなる程、吸着放出係数ｈｐが小さくなり、薬剤２０の表面４０への吸着が起こりにくい。温度が低くなる程、吸着放出係数ｈｐが大きくなり、薬剤２０の表面４０への吸着が起こりやすい。
【０１１４】
また、湿度が高くなる程、表面４０の表面水分量が増加し、薬剤２０が捕捉されやすくなるため、マクロ的に吸着放出係数ｈｐが大きくなる。つまり、湿度が高くなる程、薬剤２０の表面４０への吸着が起こりやすい、又は、放出が起こりにくい。湿度が低くなる程、表面４０の表面水分量が減少し、薬剤２０が捕捉されにくくなるため、マクロ的に吸着放出係数ｈｐが小さくなる。つまり、湿度が低くなる程、薬剤２０の表面４０への吸着が起こりにくい、又は、放出が起きやすくなる。
【０１１５】
また、表面４０の表面が荒れた形状である程、具体的には、表面４０の表面粗さが大きい程、吸着放出係数ｈｐが大きくなり、薬剤２０の表面４０への吸着が起こりやすい。表面４０の表面粗さが小さい程、吸着放出係数ｈｐが小さくなり、薬剤２０の表面４０への吸着が起こりにくい。
【０１１６】
本実施の形態では、吸着放出係数をシミュレーションの入力データとして用いることで、薬剤２０の表面４０への吸着による濃度の減少をシミュレーション結果に反映させることができる。具体的には、吸着放出係数が大きい程、濃度推定値は、吸着放出係数を入力データとして用いない場合の濃度推定値よりも小さくなる。吸着放出係数が小さい程、濃度推定値は、吸着放出係数を入力データとして用いない場合の濃度推定値よりも大きくなる。いずれの場合も、吸着放出係数を入力データとして用いることで、実測値に近い濃度を推定することができる。
【０１１７】
［環境が薬剤及び菌に与える影響］
続いて、環境が薬剤２０及び菌３０に与える影響について説明する。本実施の形態では、薬剤２０及び菌３０に影響を与える環境として、気温、湿度及び紫外線量、並びに、表面温度及び有機物量などがある。
【０１１８】
［温度及び表面温度］
まず、温度及び表面温度が薬剤２０及び菌３０に与える影響について、図９を用いて説明する。
【０１１９】
図９は、菌３０の生存状態の温度依存性を示す図である。図９において、横軸は温度である。温度は、菌３０が触れている空気の温度、及び、菌３０が接触している部材の表面４０の表面温度である。また、図９において、縦軸は菌３０の生存しやすさ、すなわち、菌３０の死ににくさを示している。縦軸の数値が大きい程、菌３０は生存しやすい。
【０１２０】
図９に示すように、温度が低い程、菌３０は生存しやすく、温度が高い程、菌３０は生存しにくい。言い換えると、温度が低い程、菌３０は除菌されにくく、温度が高い程、菌３０は除菌されやすい。これは、温度が高い程、薬剤２０及び菌３０の双方に熱エネルギーが与えられ、薬剤２０と菌３０との反応性が上昇し、除菌性能が高まるためと考えられる。
【０１２１】
以上のことから、上記式（１）における環境因数ｆは、温度が高い程、小さな値に設定され、温度が低い程、大きな値に設定される。これにより、式（１）を用いて算出された菌３０の減少数Ｙは、温度の影響を考慮した値になる。したがって、本実施の形態に係る除菌性能予測システム１００によれば、菌３０の生存状態の予測精度を高めることができる。
【０１２２】
［湿度］
次に、湿度が薬剤２０及び菌３０に与える影響について、図１０を用いて説明する。
【０１２３】
図１０は、菌３０が水滴５０に覆われている様子を示す模式図である。空間１０の湿度が高い場合、表面水分量が大きくなる。このため、図１０に示すように、表面４０には水滴５０が付着し、菌３０が水滴５０に覆われやすくなる。
【０１２４】
湿度が菌３０に与える影響として、菌３０は、水滴５０によって膨潤するという影響がある。このとき、菌３０の細胞膜の浸透性が上昇し、浸透圧による薬剤２０が透過しやすくなる。このため、薬剤２０と菌３０との反応性が高くなり、除菌性能が高まると考えられる。
【０１２５】
また、湿度が薬剤２０に与える影響として、菌３０を覆う水滴５０によって薬剤２０が捕捉されやすくなるという影響がある。水滴５０に捕捉される薬剤２０の量が多くなり、菌３０の近傍の薬剤濃度が高くなる。したがって、薬剤２０と菌３０との接触時間が長くなり、除菌性能が高まると考えられる。
【０１２６】
図１１は、菌３０の生存状態の湿度依存性を示す図である。図１１において、横軸は湿度である。縦軸は菌３０の生存しやすさ、すなわち、菌３０の死ににくさを示している。縦軸の数値が大きい程、菌３０は生存しやすい。
【０１２７】
図１１に示すように、湿度が低い程、菌３０は生存しやすく、湿度が高い程、菌３０は生存しにくい。言い換えると、湿度が低い程、菌３０は除菌されにくく、湿度が高い程、菌３０は除菌されやすい。
【０１２８】
以上のことから、上記式（１）における環境因数ｆは、湿度が高い程、小さな値に設定され、湿度が低い程、大きな値に設定される。これにより、式（１）を用いて算出された菌３０の減少数Ｙは、湿度の影響を考慮した値になる。したがって、本実施の形態に係る除菌性能予測システム１００によれば、菌３０の生存状態の予測精度を高めることができる。
【０１２９】
［紫外線量］
次に、紫外線量が薬剤２０及び菌３０に与える影響について、図１２を用いて説明する。
【０１３０】
まず、紫外線６０が薬剤２０に与える影響として、紫外線６０は、薬剤２０によって吸収され、薬剤２０を分解するという影響がある。図１２は、薬剤２０及び菌３０に紫外線６０が照射されている様子を示す模式図である。図１２では、紫外線６０が照射された薬剤２０が分解されて消滅している様子を示している。
【０１３１】
図１３は、次亜塩素酸による紫外線の吸収の波長依存性を示す図である。図１３において、横軸は紫外線６０の波長であり、縦軸は次亜塩素酸による紫外線の吸光度である。
【０１３２】
図１３に示すように、次亜塩素酸は、約２９０ｎｍの波長に吸収ピークを有する。次亜塩素酸は、紫外線が照射された場合に、紫外線を吸収し、分解される。なお、図１３では、次亜塩素酸の濃度毎の吸光度のグラフを示しているが、いずれの濃度においても次亜塩素酸が紫外光を吸収する傾向が見られる。
【０１３３】
紫外線量が多い程、薬剤２０は分解されやすく、薬剤濃度が低下する。紫外線量が少ない程、薬剤２０は分解されにくく、薬剤濃度が低下しにくい。したがって、式（１）における環境因数ｆは、薬剤２０への影響を考慮に入れた場合、紫外線量が多い程、大きな値に設定され、紫外線量が少ない程、小さな値に設定される。なお、図１３に示すように、吸光度に波長依存性があるので、環境因数ｆは、例えば、紫外線６０の波長に応じた値に設定されてもよい。
【０１３４】
また、紫外線６０が菌３０に与える影響として、紫外線６０は、菌３０を構成するＤＮＡ及びたんぱく質によって吸収され、これらを弱体化させるという影響がある。図１４及び図１５はそれぞれ、ＤＮＡ及びたんぱく質による紫外線の吸収の波長依存性を示す図である。図１４及び図１５の各々において、横軸は紫外線及び可視光の波長であり、縦軸はＤＮＡ又はたんぱく質による紫外線の吸光度である。
【０１３５】
図１４に示すように、ＤＮＡは、約２６０ｎｍの波長に吸収ピークを有する。ＤＮＡは、紫外線が照射された場合に、紫外線を吸収し、損傷又は弱体化する。図１５に示すように、たんぱく質は、約２８０ｎｍの波長に吸収ピークを有する。たんぱく質は、紫外線が照射された場合に、紫外線を吸収し、損傷又は弱体化する。
【０１３６】
紫外線量が多い程、菌３０は損傷又は弱体化されやすく、死にやすくなる。紫外線量が少ない程、菌３０は損傷又は弱体化されにくく、死ににくい。したがって、式（１）における環境因数ｆは、菌３０への影響を考慮に入れた場合、紫外線量が多い程、小さな値に設定され、紫外線量が少ない程、大きな値に設定される。なお、図１４及び図１５に示すように、吸光度に波長依存性があるので、環境因数ｆは、例えば、紫外線６０の波長に応じた値に設定されてもよい。
【０１３７】
なお、紫外線量と環境因数ｆとの関係は、薬剤２０に与える影響と菌３０に与える影響とで異なる。このため、紫外線６０が薬剤２０及び菌３０の各々に与える影響の大小関係に応じて、環境因数ｆが設定される。例えば、紫外線６０による菌３０の弱体化よりも薬剤２０の分解が激しい場合、結果として菌３０の除菌性能が低くなるので、環境因数ｆを大きな値に設定する。また、紫外線６０による薬剤２０の分解よりも菌３０の弱体化が激しい場合、結果として菌３０の除菌性能が高くなるので、環境因数ｆを小さな値に設定する。以上のように、本実施の形態に係る除菌性能予測システム１００によれば、菌３０の生存状態の予測精度を高めることができる。
【０１３８】
［有機物量］
続いて、有機物量が薬剤２０に与える影響について、図１６を用いて説明する。
【０１３９】
図１６は、菌３０が有機物７０に覆われている様子を示す模式図である。図１６に示すように、菌３０が有機物７０に覆われている場合、薬剤２０は、菌３０に到達しにくくなる。具体的には、薬剤２０は、有機物７０を浸透する際に、有機物７０と反応して菌３０まで到達する薬剤２０の量が少なくなる。したがって、有機物７０の量が多い程、薬剤２０と菌３０との接触が少なくなり、除菌性能が低くなると考えられる。
【０１４０】
以上のことから、上記式（１）における環境因数ｆは、有機物量が多い程、大きな値に設定され、有機物量が少ない程、小さな値に設定される。これにより、式（１）を用いて算出された菌３０の減少数Ｙは、有機物の影響を考慮した値になる。したがって、本実施の形態に係る除菌性能予測システム１００によれば、菌３０の生存状態の予測精度を高めることができる。
【０１４１】
［動作］
続いて、本実施の形態に係る除菌性能予測システム１００の動作について、図１７及び図１８を用いて説明する。
【０１４２】
図１７は、本実施の形態に係る除菌性能予測システム１００の動作を示すフローチャートである。図１８は、本実施の形態に係る除菌性能予測システム１００の動作のうち、濃度の推定処理を示すフローチャートである。
【０１４３】
図１７に示すように、まず、取得部１１０が環境情報、薬剤情報及び菌情報を取得する（Ｓ１０）。具体的には、取得部１１０は、空間１０に設けられた温湿度センサ及び紫外線光量計から温度情報、湿度情報及び紫外線情報を、環境情報として取得する。取得部１１０は、さらに、発生源１１から薬剤２０の種類情報及び気流情報を、薬剤情報として取得する。取得部１１０は、さらに、端末装置などから菌３０の種類を示す情報を、菌情報として取得する。また、取得部１１０は、空間１０のジオメトリ情報及び材質情報を取得する。
【０１４４】
次に、濃度推定部１２１は、取得部１１０が取得した情報に基づいてシミュレーションを行うことで、薬剤濃度を算出する（Ｓ２０）。具体的には、濃度推定部１２１は、図１８に示す濃度推定処理を行う。
【０１４５】
図１８に示すように、まず、濃度推定部１２１は、濃度推定シミュレーションの入力データを取得する（Ｓ２２）。具体的には、決定部２１０は、環境情報及び薬剤情報などに基づいて、自己分解係数ｋ、拡散係数Ｄ及び吸着放出係数ｈｐを決定する。
【０１４６】
次に、演算部２２０は、空間１０の対象位置における薬剤２０の濃度を算出する（Ｓ２４）。具体的には、演算部２２０は、取得された温度情報、湿度情報、紫外線情報、ジオメトリ情報及び材質情報、並びに、決定された自己分解係数ｋ、拡散係数Ｄ及び吸着放出係数ｈｐを入力データとして取得する。演算部２２０は、取得した入力データに基づいてＣＦＤ解析を行うことで、部分空間毎の薬剤濃度を算出する。
【０１４７】
図１７に戻り、予測部１２２は、算出された薬剤濃度と、菌３０の種類と、環境情報とに基づいてＣＴ値データベース１３１を参照することで、菌３０の生存状態を予測する（Ｓ３０）。具体的には、予測部１２２は、上記式（１）に基づいて、菌３０の減少数を算出する。あるいは、予測部１２２は、上記式（２）に基づいて、菌３０の除菌率を算出してもよい。
【０１４８】
最後に、出力部１４０は、算出された菌３０の減少数又は除菌率を、予測情報として出力する（Ｓ４０）。出力部１４０は、例えば、図１９に示す除菌率の三次元分布図を表示してもよい。
【０１４９】
図１９は、本実施の形態に係る除菌性能予測システム１００が出力する除菌率の三次元分布図である。図１９では、ドットの密度差によって濃度差を表現している。
【０１５０】
三次元分布図は、例えば、色又は輝度の濃淡によって除菌率の高低を表す三次元ヒートマップである。なお、出力部１４０は、任意の平面で切り出した除菌率の二次元分布図を出力してもよい。あるいは、出力部１４０は、例えば、任意の位置の除菌率の時間変化を示すグラフを表示してもよい。また、出力部１４０は、除菌率ではなく、菌３０の減少数の三次元分布図を表示してもよい。出力部１４０は、薬剤濃度の三次元分布図を表示してもよい。
【０１５１】
［効果など］
以上のように、本実施の形態に係る除菌性能予測システム１００は、菌の種類と、除菌に要する薬剤濃度と時間との積である除菌指標値とを対応付けたＣＴ値データベース１３１を記憶する記憶部１３０と、制御部１２０とを備える。制御部１２０は、薬剤２０が散布される空間１０内の所定位置における薬剤濃度を算出する濃度推定部１２１と、算出された薬剤濃度と、除菌対象である菌３０の種類と、空間１０内の環境を示す環境情報とに基づいてＣＴ値データベース１３１を参照することで、所定位置における菌３０の生存状態を予測する予測部１２２とを備える。
【０１５２】
これにより、環境情報に基づいて、薬剤２０又は菌３０に与える環境の影響を考慮して菌３０の生存状態を予測することができる。したがって、除菌性能予測システム１００によれば、菌３０の生存状態を精度良く予測することができる。
【０１５３】
また、例えば、ＣＴ値データベース１３１では、薬剤の種類毎に、菌の種類と、除菌指標値とが対応付けられている。予測部１２２は、空間１０に散布する薬剤２０の種類を示す薬剤情報にさらに基づいてＣＴ値データベース１３１を参照することで、菌３０の生存状態を予測する。
【０１５４】
これにより、例えば空間１０に散布する薬剤２０の種類を変更することができる場合において、変更後の薬剤２０の種類に応じて精度良く菌３０の生存状態を予測することができる。
【０１５５】
また、例えば、環境情報は、除菌対象である菌３０の状態に影響を与える第１環境情報と、空間１０に散布する薬剤２０に影響を与える第２環境情報とを含む。
【０１５６】
これにより、環境が薬剤２０に与える影響と、環境が菌３０に与える影響との両方を考慮に入れて菌３０の生存状態を予測することができる。したがって、除菌性能予測システム１００によれば、菌３０の生存状態を更に精度良く予測することができる。
【０１５７】
また、例えば、第１環境情報は、所定位置における気温、湿度及び紫外線量、並びに、所定位置が空間１０内に存在する部材の表面４０を含む場合の表面温度のうち、少なくとも１つを示す情報である。
【０１５８】
これにより、菌３０に与える影響が大きい気温、湿度、紫外線量及び表面温度の少なくとも１つを考慮に入れて菌３０の生存状態を予測することができる。したがって、除菌性能予測システム１００によれば、菌３０の生存状態を更に精度良く予測することができる。
【０１５９】
また、例えば、第２環境情報は、所定位置における気温、湿度及び紫外線量、並びに、所定位置が空間１０内に存在する部材の表面４０を含む場合の表面温度及び表面４０に付着している有機物量のうち、少なくとも１つを示す情報である。
【０１６０】
これにより、薬剤２０に与える影響が大きい気温、湿度、紫外線量、表面温度及び有機物量の少なくとも１つを考慮に入れて菌３０の生存状態を予測することができる。したがって、除菌性能予測システム１００によれば、菌３０の生存状態を更に精度良く予測することができる。
【０１６１】
また、例えば、除菌性能予測システム１００は、さらに、環境情報を取得するセンサを備えてもよい。
【０１６２】
これにより、センサを用いて精度良く環境情報を取得することができる。環境情報の精度及び信頼性が高いので、環境情報に基づく予測結果の精度も高めることができる。
【０１６３】
また、例えば、濃度推定部１２１は、薬剤２０の発生量と、薬剤２０を移動させる気流の風向及び風速と、薬剤２０の自己分解係数と、薬剤２０の拡散係数と、空間１０内の所定面に対する薬剤２０の吸着放出係数と、空間１０内の温度、湿度及び紫外線量の少なくとも１つとを入力データとして取得し、取得した入力データを用いて薬剤濃度を算出する。
【０１６４】
これにより、空間１０に散布される薬剤２０の濃度を精度良く推定することができる。本実施の形態に係る濃度推定方法によれば、薬剤２０の濃度の実測値を必要とせずに、空間１０内に拡散する薬剤２０の濃度を精度良く推定することができる。したがって、高精度な薬剤濃度に基づいて、菌３０の生存状態を精度良く予測することができる。
【０１６５】
また、例えば、本実施の形態に係る除菌性能予測方法は、薬剤２０が散布される空間１０内の所定位置における薬剤濃度を算出するステップと、算出された薬剤濃度と、除菌対象である菌３０の種類と、空間１０内の環境を示す環境情報とに基づいて、菌の種類と、除菌に要する薬剤濃度と時間との積である除菌指標値とを対応付けたＣＴ値データベース１３１を参照することで、所定位置における菌３０の生存状態を予測する予測ステップとを含む。
【０１６６】
これにより、除菌性能予測システム１００と同様に、菌３０の生存状態を精度良く予測することができる。
【０１６７】
（実施の形態２）
続いて、実施の形態２について説明する。
【０１６８】
実施の形態１に係る除菌性能予測システム１００では、センサなどから取得した温度情報などを環境情報として取得した。これに対して、本実施の形態に係る除菌性能予測システムでは、薬剤２０を散布する空間１０の種類を示す空間情報を環境情報として取得する。これにより、本実施の形態に係る除菌性能予測システムは、少ない情報量で処理量を削減することができ、かつ、菌３０の生存状態を精度良く予測することができる。
【０１６９】
図２０は、本実施の形態に係る除菌性能予測システム３００の機能構成を示すブロック図である。図２０に示すように、除菌性能予測システム３００は、取得部３１０と、制御部３２０と、記憶部３３０と、出力部１４０とを備える。以下では、実施の形態１との相違点を中心に説明し、共通点の説明を省略又は簡略化する。
【０１７０】
取得部３１０は、環境情報、薬剤情報及び菌情報を取得する。薬剤情報及び菌情報の取得は、実施の形態１の取得部１１０と同様である。本実施の形態では、取得部３１０は、空間情報を環境情報として取得する。空間情報は、環境情報の一例であり、薬剤２０を散布する空間１０の種類を示す情報である。
【０１７１】
取得部３１０は、例えば、ユーザが操作するスマートフォンなどの端末装置と通信する通信インタフェース、又は、タッチパネル若しくは物理的な操作ボタンなどのユーザインタフェースで実現される。例えば、取得部３１０は、端末装置などを介してユーザに、空間１０の名称などの空間１０を特定するための情報を入力させ、入力された情報を空間情報として取得する。あるいは、取得部３１０は、予め用意された複数のシーンを含む選択画面をディスプレイなどに表示させ、薬剤２０を散布する空間として適したシーンをユーザに選択させてもよい。取得部３１０は、予め用意された複数のシーンから１つのシーンを選択する指示を空間情報として選択してもよい。
【０１７２】
制御部３２０は、実施の形態１に係る制御部１２０と比較して、予測部１２２の代わりに予測部３２２を備える点が相違する。予測部３２２は、取得部３１０が環境情報として取得した空間情報に基づいて、記憶部３３０に記憶されたシーンデータベース３３１を参照することで、菌３０の生存状態を予測する。具体的には、予測部３２２は、空間情報に基づいてシーンデータベース３３１を参照することで、実施の形態１で示した式（１）における環境因数ｆを決定する。予測部３２２は、決定した環境因数ｆに基づいて式（１）を用いることにより、菌３０の生存状態を予測する。
【０１７３】
記憶部３３０は、さらに、シーンデータベース３３１を記憶している。記憶部３３０は、ＨＤＤ及び半導体メモリなどの不揮発性メモリで実現される。
【０１７４】
シーンデータベース３３１は、空間１０の種類毎、すなわち、シーン毎に、予め定められた気温、湿度及び紫外線量、並びに、空間内に存在する部材の表面温度及び当該部材の表面に付着している有機物量の少なくとも１つが対応付けられたシーン情報の一例である。図２１は、本実施の形態に係る除菌性能予測システム３００が記憶するシーンデータベース３３１を示す図である。
【０１７５】
図２１に示すシーンデータベース３３１では、キッチン、リビングルーム、トイレの３つのシーンが予め用意されている。３つのシーンの各々には、温度、湿度、紫外線量及び有機物量、並びに、重み付け係数が対応付けて記憶されている。重み付け係数は、環境因数ｆである。
【０１７６】
シーンデータベース３３１に記憶されている重み付け係数は、対応する温度、湿度、紫外線量及び有機物量に基づいて、予め決定された値である。具体的な決定方法は、実施の形態１で説明した環境因数ｆの決定方法と同じである。
【０１７７】
シーンデータベース３３１に記憶されている温度、湿度、紫外線量及び有機物量はそれぞれ、対応するシーンにおける代表値である。代表値は、例えば、対応するシーンを模した空間で温度、湿度、紫外線量及び有機物量の各々を実測することで得られる。例えば、キッチンに対応する代表値は、複数の種類のキッチンで実測した値を平均した値であってもよい。
【０１７８】
シーンデータベース３３１に記憶される温度、湿度、紫外線量及び有機物量の代表値は、空間１０に合わせて更新されてもよい。環境因数ｆは、代表値が更新された場合に再決定されて更新される。
【０１７９】
以上のように、本実施の形態に係る除菌性能予測システム３００は、例えば、記憶部３３０は、さらに、空間１０の種類毎に、予め定められた気温、湿度及び紫外線量、並びに、空間１０内に存在する部材の表面温度及び部材の表面４０に付着している有機物量の少なくとも１つが対応付けられたシーンデータベース３３１を記憶している。環境情報は、薬剤２０を散布する空間１０の種類を示す情報である。予測部１２２は、環境情報に基づいてシーンデータベース３３１をさらに参照することで、菌３０の生存状態を予測する。
【０１８０】
これにより、シーン毎に予め環境因数ｆが決定されているので、例えば、ユーザがシーンを選択するだけで、温度などの実測値を必要とせず、環境因数ｆが決定される。このため、演算量を低減することができ、かつ、菌３０の生存状態を精度良く算出することができる。
【０１８１】
（その他）
以上、本発明に係る除菌性能予測システム及び除菌性能予測方法などについて、上記の実施の形態に基づいて説明したが、本発明は、上記の実施の形態に限定されるものではない。
【０１８２】
例えば、上記の実施の形態では、記憶部１３０には、菌の種類と薬剤の種類とに対応するＣＴ値を示すＣＴ値データベース１３１が記憶されている例について示したが、これに限らない。例えば、使用する薬剤２０が特定の種類で固定されている場合、記憶部１３０には、菌の種類とＣＴ値とが対応付けられた対応情報が記憶されていてもよい。
【０１８３】
また、例えば、上記の実施の形態では、薬剤２０及び菌３０の両方に影響を与える環境情報を取得したが、薬剤２０に影響を与える環境情報のみ、又は、菌３０に影響を与える環境情報のみを取得してもよい。
【０１８４】
また、例えば、上記の実施の形態では、薬剤濃度の推定をＣＦＤ解析で行う例について示したが、これに限らない。例えば、薬剤２０の発生量に基づいて、空間１０内に均等に薬剤が拡散されたと推定してもよい。
【０１８５】
また、上記実施の形態で説明した装置間の通信方法については特に限定されるものではない。装置間で無線通信が行われる場合、無線通信の方式（通信規格）は、例えば、Ｚｉｇｂｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０１８６】
また、上記実施の形態において、特定の処理部が実行する処理を別の処理部が実行してもよい。また、複数の処理の順序が変更されてもよく、あるいは、複数の処理が並行して実行されてもよい。また、除菌性能予測システムが備える構成要素の複数の装置への振り分けは、一例である。例えば、一の装置が備える構成要素を他の装置が備えてもよい。また、除菌性能予測システムは、単一の装置として実現されてもよい。
【０１８７】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０１８８】
また、上記実施の形態において、制御部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ又は半導体メモリなどの記録媒体に記録されたソフトウェアプログラムを読み出して実行することによって実現されてもよい。
【０１８９】
また、制御部などの構成要素は、１つ又は複数の電子回路で構成されてもよい。１つ又は複数の電子回路は、それぞれ、汎用的な回路でもよいし、専用の回路でもよい。
【０１９０】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０１９１】
また、本発明の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０１９２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１９３】
１０  空間
２０、２０ａ、２０ｂ、２０ｃ、２０ｄ、２０ｘ、２０ｙ  薬剤
３０  菌
４０  表面
１００、３００  除菌性能予測システム
１２０、３２０  制御部
１２１  濃度推定部
１２２、３２２  予測部
１３０、３３０  記憶部
１３１  ＣＴ値データベース（対応情報）
３３１  シーンデータベース（シーン情報）
【図１】
2019044254.tif 000011
【図２】
2019044254.tif 000012
【図３】
2019044254.tif 000013
【図４】
2019044254.tif 000014
【図５】
2019044254.tif 000015
【図６】
2019044254.tif 000016
【図７】
2019044254.tif 000017
【図８】
2019044254.tif 000018
【図９】
2019044254.tif 000019
【図１０】
2019044254.tif 000020
【図１１】
2019044254.tif 000021
【図１２】
2019044254.tif 000022
【図１３】
2019044254.tif 000023
【図１４】
2019044254.tif 000024
【図１５】
2019044254.tif 000025
【図１６】
2019044254.tif 000026
【図１７】
2019044254.tif 000027
【図１８】
2019044254.tif 000028
【図１９】
2019044254.tif 000029
【図２０】
2019044254.tif 000030
【図２１】
2019044254.tif 000031
【国際調査報告】
2019044254.tif 000032
2019044254.tif 000033
2019044254.tif 000034
2019044254.tif 000035